【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
環境光を表すパラメータに基づいて調整パラメータを出力するパラメータ出力部と、
入力された画像信号に対して、対象画素の周囲の複数の画素から生成される周囲情報と、前記調整パラメータに応じて変換特性を決定し、前記変換特性に応じて前記対象画素を変換し、出力信号を出力する出力信号作成部と、
を備え、
前記変換特性は、
前記調整パラメータに基づき、
前記画像信号の明るさ、または局所コントラストを調整する変換特性を有することを特徴とする、
視覚処理装置。
【請求項２】
前記出力信号作成部は、
入力された画像信号に対して、対象画素の周囲の画素を用いた所定の空間処理を行い、前記周囲情報を処理信号として出力する空間処理部と、
前記処理信号と、前記調整パラメータに基づき決定された変換特性により、
前記画像信号を変換し、出力信号を出力する視覚処理部と、
を備える、
請求項１に記載の視覚処理装置。
【請求項３】
前記視覚処理部は、さらに、
所定の入力範囲において、
前記画像信号の値を所定のレベルに固定した場合に、前記処理信号の値に対して前記出力信号の値が単調減少する変換特性を有することを特徴とする、
請求項２に記載の視覚処理装置。
【請求項４】
前記視覚処理部は、さらに、
前記調整パラメータに基づき、前記環境光の明るさが大きいほど、前記画像信号の明るさ向上の度合いを大きくする変換特性を有することを特徴とする、
請求項１から３のいずれか１項に記載の視覚処理装置。
【請求項５】
前記視覚処理部は、さらに、
前記画像信号の値と前記処理信号の値とが同じ値である場合に、前記画像信号の値に対して前記出力信号の値が上に凸であり、且つ、
前記調整パラメータに基づき、前記環境光の明るさが大きいほど、前記画像信号の値と前記処理信号の値とが同じ値である場合に、前記画像信号の値に対して前記出力信号の値が上に凸となる度合いが大きくなる
変換特性を有することを特徴とする、
請求項２または３に記載の視覚処理装置。
【請求項６】
前記視覚処理部は、さらに、
前記調整パラメータに基づき、前記環境光の明るさが大きいほど、前記画像信号の局所コントラストの向上の度合いを大きくする変換特性を有することを特徴とする、
請求項１から３のいずれか１項に記載の視覚処理装置。
【請求項７】
前記パラメータ出力手段は、前記環境光を表すパラメータと外部から入力される外部パラメータとに基づいて調整パラメータを出力することを特徴とする、
請求項１から６のいずれか１項に記載の視覚処理装置。
【請求項８】
前記環境光を表すパラメータ、あるいは前記調整パラメータの時間変化を制御する時間変化調整部、
をさらに備える、
請求項１から７のいずれか１項に記載の視覚処理装置。
【請求項９】
環境光を表すパラメータに基づいて調整パラメータを出力するパラメータ出力部と、
入力された画像信号に対して、対象画素の周囲の複数の画素から生成される周囲情報と、前記調整パラメータに応じて変換特性を決定し、前記変換特性に応じて前記対象画素を変換し、出力信号を出力する出力信号作成部と、
前記出力信号を表示する表示部と、
を備え、
前記変換特性は、
前記調整パラメータに基づき、
前記画像信号の明るさ、または局所コントラストを調整する変換特性を有することを特徴とする、
画像表示装置。
【請求項１０】
映像信号を受信する受信部と、
前記映像信号を復号し画像信号を出力する復号部と、
環境光を表すパラメータに基づいて調整パラメータを出力するパラメータ出力部と、
前記画像信号に対して、対象画素の周囲の複数の画素から生成される周囲情報と、前記調整パラメータに応じて変換特性を決定し、前記変換特性に応じて前記対象画素を変換し、出力信号を出力する出力信号作成部と、
前記出力信号を表示する表示部とを備え、
前記変換特性は、
前記調整パラメータに基づき、
前記画像信号の明るさ、または局所コントラストを調整する変換特性を有することを特徴とする、
テレビジョン。
【請求項１１】
映像信号を受信する受信部と、
前記映像信号を復号し画像信号を出力する復号部と、
環境光を表すパラメータに基づいて調整パラメータを出力するパラメータ出力部と、
前記画像信号に対して、対象画素の周囲の複数の画素から生成される周囲情報と、前記調整パラメータに応じて変換特性を決定し、前記変換特性に応じて前記対象画素を変換し、出力信号を出力する出力信号作成部と、
前記出力信号を表示する表示部とを備え、
前記変換特性は、
前記調整パラメータに基づき、
前記画像信号の明るさ、または局所コントラストを調整する変換特性を有することを特徴とする、
携帯情報端末。
【請求項１２】
前記パラメータ出力部は、
前記表示部の表示環境の明るさを検出する明るさ検出部をさらに備え、
前記明るさ検出部が検出した表示環境の明るさに応じて、前記調整パラメータを出力する、
請求項９から１１のいずれか１項に記載の画像表示装置。
【請求項１３】
画像を行う撮影して画像信号を生成する撮影部と、
環境光を表すパラメータに基づいて調整パラメータを出力するパラメータ出力部と、
前記画像信号に対して、対象画素の周囲の複数の画素から生成される周囲情報と、前記調整パラメータに応じて変換特性を決定し、前記変換特性に応じて前記対象画素を変換し、出力信号を出力する出力信号作成部と、
を備え、
前記変換特性は、
前記調整パラメータに基づき、
前記画像信号の明るさ、または局所コントラストを調整する変換特性を有することを特徴とする、
カメラ。
【請求項１４】
環境光を表すパラメータに基づいて調整パラメータを出力するパラメータ出力ステップと、
入力された画像信号に対して、対象画素の周囲の複数の画素から生成される周囲情報と、前記調整パラメータに応じて変換特性を決定し、前記変換特性に応じて前記対象画素を変換し、出力信号を出力する出力信号作成ステップと、
を含み、
前記変換特性は、
前記調整パラメータに基づき、
前記画像信号の明るさ、または局所コントラストを調整する変換特性を有することを特徴とする、
視覚処理方法。
【請求項１５】
画像出力装置に用いられる集積回路であって、
環境光を表すパラメータに基づいて調整パラメータを出力するパラメータ出力ステップと、
入力された画像信号に対して、対象画素の周囲の複数の画素から生成される周囲情報と、前記調整パラメータに応じて変換特性を決定し、前記変換特性に応じて前記対象画素を変換し、出力信号を出力する出力信号作成ステップと、
を実行し、
前記変換特性は、
前記調整パラメータに基づき、
前記画像信号の明るさ、または局所コントラストを調整する変換特性を有することを特徴とする、
画像出力装置に用いられる集積回路。
【請求項１６】
コンピュータにより画像信号の処理を行う画像処理プログラムであって、
前記画像処理プログラムは、
環境光を表すパラメータに基づいて調整パラメータを出力するパラメータ出力ステップと、
入力された画像信号に対して、対象画素の周囲の複数の画素から生成される周囲情報と、前記調整パラメータに応じて変換特性を決定し、前記変換特性に応じて前記対象画素を変換し、出力信号を出力する出力信号作成ステップと、
を含み、
前記変換特性は、
前記調整パラメータに基づき、
前記画像信号の明るさ、または局所コントラストを調整する変換特性を有することを特徴とする、
視覚処理方法を、コンピュータに行わせるものである、
画像処理プログラム。